(57)【要約】【課題】  大きさの異なる複数種類の光部品を光部品ホルダの固定することに適用できる光部品固定具及び光部品固定具を用いた光部品固定構造を提供する。【解決手段】  弾性変形可能な一枚のシート状部材によって形成された光部品固定具１１であり、２本の折曲線の間のベース板部１７と、ベース板部１７の両側から立ち上げられた側壁部１８，１９とが形成されており、突出先端部１８ａには、他方の側壁部１９の側に突出する押さえ片１３が形成されており、突出先端部１９ａには、折曲部２２を介して一方の側壁部１９の側に突出する蓋部１４が形成されている。【選択図】    図１
2005308804.tif 000002
【特許請求の範囲】
【請求項１】
光部品ホルダ（５）に複数突設されている把持片（７）の間に光部品とともに嵌め込まれることで、前記光部品ホルダに前記光部品を固定するための光部品固定具であって、
ベース板部（１７）及び該ベース板部の両側から立ち上げられた側壁部（１８，１９）とによって断面コ字状に形成された固定具本体（１２）を有し、前記側壁部のうち一方の側壁部（１８）の前記ベース板部からの突出先端部（１８ａ）には、折曲部（２１）を介して他方の側壁部（１９）の側に突出する押さえ片（１３）が形成されており、他方の側壁部の前記ベース板部からの突出先端部（１９ａ）には、前記固定具本体の内側の空間である光部品収納空間（２０）の両側の前記側壁部の間における開口部に被せるようにして両側の側壁部の間に架け渡される開閉自在の蓋部（１４）が折曲部（２２）を介して突設されており、
前記光部品収納空間に光部品（８）を収納すると、前記光部品が、該光部品と一方の側壁部との間に折り込まれた前記押さえ片の弾性により前記他方の側壁部に付勢されるようになっており、さらに、前記蓋部を一対の側壁部の間に架設して該蓋部に形成されている止め部（２４）によって前記一方の側壁部からの離脱を規制することにより、前記蓋部によって前記光部品収納空間内からの前記光部品の飛び出しを防止できるようになっていることを特徴とする光部品固定具（１１）。
【請求項２】
全体が弾性変形可能な一枚のシート状部材によって形成された１部品になっていることを特徴とする請求項１記載の光部品固定具。
【請求項３】
前記光部品収納空間には、前記ベース板部の前記光部品収納空間の中心軸線に沿った方向である長手方向に離隔した２箇所に突設された一対の収納範囲設定用突片（２５）の間に、前記光部品が収納される収納範囲が確保されており、前記押さえ片と前記蓋部とが、前記光部品収納空間の中心軸線方向において一対の収納範囲設定用突片の間に設けられていることを特徴とする請求項１又は２記載の光部品固定具。
【請求項４】
前記固定具本体の前記光部品収納空間の中心軸線に沿った方向である長手方向の一端又は両端の内面側に、前記固定具本体の内側に収納した光部品が前記光部品本体の長手方向に沿った方向の移動によって前記固定具本体から抜け出ることを規制するためのストッパ（２６）が突設されていることを特徴とする請求項１から３のいずれかに記載の光部品固定具。
【請求項５】
光部品が複数の把持片の間の光部品嵌め込み溝（９）に嵌め込み固定される構造の光部品ホルダの前記光部品嵌め込み溝に、請求項１から４のいずれかに記載の光部品固定具が、前記光部品嵌め込み溝の溝幅に比べて幅寸法の小さい光部品を前記光部品収納空間に収納した状態で嵌め込み固定されていることを特徴とする光部品固定構造。
【請求項６】
請求項５記載の光部品固定構造を筐体（１Ａ）内部に有することを特徴とする光接続箱。
【発明の詳細な説明】
【技術分野】
【０００１】
本発明は、光部品ホルダの幅よりも小さい光部品の収納に適用される光部品固定具及び光部品固定具を用いた光部品固定構造、光接続箱に関する。
【背景技術】
【０００２】
近年、光ファイバ網の急速な普及に伴って、光ファイバ網の途中に分岐装置を挿入して、一本の光ファイバを複数の加入者宅に引き込む技術（ＰＯＮ：Passive Optical Network）、即ち、電話局から加入者宅へのびる光ファイバを、光スプリッタ（光カプラ）を用いて分岐し、複数の加入者宅へ引き込む方式が提供されている（例えば、特許文献１参照。）。
ところで、このＰＯＮに用いられる光スプリッタは、例えば光接続箱等に設けられたスプリッタトレイ（スプリッタホルダ）を使用して固定しておくことが一般的である。
図９に示すように、この光スプリッタを収納する光接続箱１（ここでは、分岐接続箱）は、カバー２とベースプレート３とから構成されている筐体１Ａの内部に、光スプリッタ８と、光ファイバ同士の接続部（例えば、融着接続部。図示略）とを収納するようになっている。光スプリッタは、ベースプレート３に取り付けられて筐体１Ａ内に配置されたスプリッタトレイ４に固定される。
このスプリッタトレイ４は、図１０に示すように、底板４ａの周囲に立上壁４ｂが立設されているトレイ本体４Ａと、このトレイ本体４Ａの立上壁４ｂで囲まれる内側の領域にて、底板４ａ上に固定された光部品ホルダ５とを有する構成である。光部品ホルダ５は、底板６と、この底板６上に複数突設されている突壁状の把持片７とを有し、把持片７の間（光部品嵌め込み溝９）に、光スプリッタ８が嵌め込み固定される構造のものが多用されている。また、この光接続箱１は、床上に据え付ける横置き以外に、例えば、図１１に示すように壁１０に取り付けて、縦置きにすることも可能である。
【特許文献１】特開平９−２２２５１９号公報
【発明の開示】
【発明が解決しようとする課題】
【０００３】
ところで、光スプリッタ８には、分岐心数の違い等によって、様々な大きさのものがある。このため、スプリッタトレイ４としては、固定する光スプリッタ８の大きさに対応する溝幅の光部品嵌め込み溝９を有するものを用意しなければならず、種類が多くなるため、コスト増となるなどの不満があった。
また、ＰＯＮ分岐用の光スプリッタ８については小型化の要求があるが、光スプリッタが小型化されると、既存のスプリッタトレイ５の光部品嵌め込み溝９に固定できなくなって、それに伴い、スプリッタトレイ５の種類がさらに増大してしまうといった懸念もある。
なお、光スプリッタ以外、例えば、光フィルタ、メカニカルスプライスなどといった各種光部品についても、光部品嵌め込み溝への嵌め込みによって固定する固定構造においては、光部品のサイズに起因する同様の問題が存在する。
【０００４】
この発明は、このような事情を考慮してなされたもので、その目的は、大きさの異なる複数種類の光部品の光部品ホルダへの固定を実現でき、しかも、光部品ホルダの設置向き（姿勢）や振動の作用等に対しても固定状態を安定に維持でき、信頼性が向上する光部品固定具、光部品固定構造、並びに、光接続箱を提供することにある。
【課題を解決するための手段】
【０００５】
上記目的を達成するために、この発明は以下の手段を提案している。
請求項１に係る発明は、光部品ホルダに複数突設されている把持片の間に光部品とともに嵌め込まれることで、前記光部品ホルダに前記光部品を固定するための光部品固定具であって、ベース板部及び該ベース板部の両側から立ち上げられた側壁部とによって断面コ字状に形成された固定具本体を有し、前記側壁部のうち一方の側壁部の前記ベース板部からの突出先端部には、折曲部を介して他方の側壁部の側に突出する押さえ片が形成されており、他方の側壁部の前記ベース板部からの突出先端部には、前記固定具本体の内側の空間である光部品収納空間の両側の前記側壁部の間における開口部に被せるようにして両側の側壁部の間に架け渡される開閉自在の蓋部が折曲部を介して突設されており、前記光部品収納空間に光部品を収納すると、前記光部品が、該光部品と一方の側壁部との間に折り込まれた前記押さえ片の弾性により前記他方の側壁部に付勢されるようになっており、さらに、前記蓋部を一対の側壁部の間に架設して該蓋部に形成されている止め部によって前記一方の側壁部からの離脱を規制することにより、前記蓋部によって前記光部品収納空間内からの前記光部品の飛び出しを防止できるようになっていることを特徴とする光部品固定具である。
請求項２に係る発明は、請求項１記載の光部品固定具であって、全体が弾性変形可能な一枚のシート状部材によって形成された１部品になっていることを特徴とする。
請求項３に係る発明は，請求項１又は２記載の光部品固定具であって、前記光部品収納空間には、前記ベース板部の前記光部品収納空間の中心軸線に沿った方向である長手方向に離隔した２箇所に突設された一対の収納範囲設定用突片の間に、前記光部品が収納される収納範囲が確保されており、前記押さえ片と前記蓋部とが、前記光部品収納空間の中心軸線方向において一対の収納範囲設定用突片の間に設けられていることを特徴とする。
請求項４に係る発明は、請求項１から３のいずれか１項に記載の光部品固定具であって、前記固定具本体の前記光部品収納空間の中心軸線に沿った方向である長手方向の一端又は両端の内面側に、前記固定具本体の内側に収納した光部品が前記光部品本体の長手方向に沿った方向の移動によって前記固定具本体から抜け出ることを規制するためのストッパが突設されていることを特徴とする。
請求項５に係る発明は、光部品が複数の把持片の間の光部品嵌め込み溝に嵌め込み固定される構造の光部品ホルダの前記光部品嵌め込み溝に、請求項１から４のいずれかに記載の光部品固定具が、前記光部品嵌め込み溝の溝幅に比べて幅寸法の小さい光部品を前記光部品収納空間に収納した状態で嵌め込み固定されていることを特徴とする光部品固定構造である。
請求項６に係る発明は、請求項５記載の光部品固定構造を筐体内部に有することを特徴とする光接続箱である。
【発明の効果】
【０００６】
本発明によれば、光部品ホルダに、大きさの異なる複数種類の光部品を固定することができるので、光部品の大きさに合わせて光部品ホルダを変更する必要が無い。すなわち、一種類の光部品ホルダで複数種類の光部品を固定することができるので、コストを低減することができる。また、これにより、複数種類の光部品ホルダを選択使用するといった煩雑な作業を軽減できることも言うまでも無い。
また、請求項４記載のように、固定具本体の長手方向の端部にストッパが突設されている構成を採用すれば、光部品ホルダを縦置き（光部品ホルダの把持片間の光部品光部品嵌め込み溝（光部品が嵌め込まれる溝状の空間）の延在方向が上下となる向き）にした場合に、光部品の光部品ホルダからの落下といった不都合を防止できる。ストッパが、固定具本体の下端となるようにすれば、例えば、光部品から下方に延びる光ファイバが下方へ引っ張られたり、光部品ホルダに振動、衝撃が与えられたりしても、光部品はストッパに引っ掛かるので、光部品ホルダからの光部品の落下を防止することができる。
【発明を実施するための最良の形態】
【０００７】
以下、図面を参照し、この発明の実施の形態について説明する。
図１から図８はこの発明に係る光部品固定具の一実施の形態を示す図であり、図１は光部品固定具を示す斜視図、図２は光部品固定具を光部品ホルダに嵌め込ませた際の断面図、図３は図２に示す光部品固定部の平面図、図４は図１に示す光部品固定具への光スプリッタの取り付け状態を示す斜視図、図５は光部品収納空間に光スプリッタを収納した状態を示す斜視図、図６は図５に示す光部品固定具の断面図、図７は図５に示す光部品固定具の平面図、図８はストッパの説明図である。
【０００８】
はじめに、本実施の形態においては、一例として、本発明の光部品固定具を図９から図１１に例示した光接続箱（光分岐接続箱）に適用した構成を説明する。
【０００９】
図１に示すように、光部品固定具１１は、光部品ホルダ５（図２参照）に光部品嵌め込み溝９（図２参照）の溝幅に比べて幅寸法の小さい光部品（本実施の形態では、光スプリッタであって、以下、光部品のことを光スプリッタあるいは単にスプリッタともいう。図５参照）８を複数の把持片７の間の光部品嵌め込み溝９に嵌め込み固定する構造の光部品ホルダ５の光部品嵌め込み溝９に嵌め込み固定するものであって、全体が弾性変形可能な一枚のシート状部材によって一体形成された１部品となっている。本実施の形態の光部品固定具１１の材質としては、ポリエチレンテレフタレートが採用されているが、これに限定されるものでなく、可撓性を有するものであればよい。
【００１０】
ここで、本実施の形態で用いられる光部品ホルダ５は、１×３２の光スプリッタに対応したものであり、本実施の形態の光部品固定具１１は、この光部品ホルダ５の１×３２の光スプリッタが嵌め込み固定される間隔で離隔されている把持片７の間に、１×３２の光スプリッタよりもサイズの小さい１×１６の光スプリッタ８を固定するのに用いられるものである。但し、本発明は、１×１６の光スプリッタ８の固定することに限るものではなく、さらに小型化された光スプリッタ（例えば、１×８のようにさらに小型な光スプリッタ）等にも適用可能である。
図面では、光スプリッタ８の一端には、１本の光ファイバＦが接続されており、他端には、分岐側の光ファイバＴとして４枚の８心テープ心線Ｔが接続されている。なお、分岐側の光ファイバＴは、ここでは、テープ心線であるが、特にこれに限定されるものではなく、単心および／または多心の光ファイバを用いることができる。
また、本発明の光部品固定具１１は、弾性変形可能なシート状部材によって形成されたものに限るものでなく、樹脂の成形により形成されたもの等であっても良い。但し、本発明は、光スプリッタに限定するものではなく、メカニカルスプライスや融着接続部のような光部品であれば、適宜変更可能である。光部品の両側の光ファイバの種類や本数、心数なども特に限定されるものではない。
【００１１】
この光部品固定具１１は、固定具本体１２と、２本の押さえ片１３と、蓋部１４とから概略構成されている。
固定具本体１２は、前述したシート状部材が２本並行の折曲線に沿って形成された折曲部１５，１６で折り込まれて断面コ字形のスリーブ状に形成された部分であって、この２本の間に位置するベース板部１７と、このベース板部１７の幅方向（ベース板部１７の後述する光部品収納空間２０の中心軸線に沿った方向である長手方向と直交する方向）の両側から上方向（図１上方向）に立ち上げられた側壁部１８，１９とから構成されている。ベース板部１７の幅方向寸法は、光部品ホルダ５の隣り合う把持片７，７（以下、光部品嵌め込み溝９を介して隣り合う把持片７の一方に７ａ，他方に７ｂの符号を付して説明する場合がある。）の間に嵌め込むことで、嵌合力によって固定される大きさになっている。
【００１２】
ベース板部１７とこのベース板部１７の一対の側壁部１８，１９とによって囲まれる内側の空間は、光スプリッタ８が収納固定される光部品固定具１１の光部品収納空間２０とされている。一対の側壁部１８，１９の長手方向の寸法は、ベース板部１７の長手方向の寸法に比べて長くされているものであって、この光部品固定具１１は、ベース板部１７が一対の側壁部１８，１９の長手方向中央となる位置に配置されている。すなわち、一対の側壁部１８，１９は、長手方向両端がベース板部１７から突出されている。
【００１３】
押さえ片１３は、一方の側壁部１８（以下、単に側壁部１８という）のベース板部１７の逆側の突出先端部１８ａ（図１において側壁部１８の上方向の端部）の長手方向に間隔をおいて２本（図１の左右側）形成されているものであって、側壁部１８の突出先端部１８ａから折曲部２１を介して他方の側壁部１９（以下、単に側壁部１９という）側に折り込まれて側壁部１９側に突出して形成されている。図６に示すように、押さえ片１３は、光スプリッタ８が光部品収納空間２０に収納された際に、光スプリッタ８によって押圧されることで側壁部１８に近づくように折り込まれて、弾性復元力によって光スプリッタ８を側壁部１９に向けて押圧して、光部品収納空間２０に収納された光スプリッタ８をぐらつくことなく安定して固定する機能を果たす。なお、本実施の形態では、押さえ片１３を２本に限るものではなく、例えば、側壁部１９の突出先端部１９ａの長手方向に一帯に折り曲げて形成したものでもよく、また、３本以上形成するものであってもよい。
【００１４】
図１に示すように、蓋部１４は、側壁部１９のベース板部１７とは逆側の突出先端部１９ａ（図１において側壁部１９の上方向の端部）に形成されているものであって、側壁部１９の突出先端部１９ａから折曲部２２を介して側壁部１９側に突出して形成されている。この蓋部１４は、側壁部１９から折り込まれた押さえ板部２３と、押さえ板部２３の端部から折り返されて形成された止め部２４とから構成されている。図２に示すように、押さえ板部２３は、蓋部１４を閉じたときに、一対の側壁部１８，１９間に架設される大きさになっている。また、止め部２４によって蓋部１４の開放を規制した状態では、蓋部１４（具体的には、押さえ板部２３）は、光部品収納空間２０内に収納された光スプリッタ８が光部品収納空間２０から浮き上がらないようにベース板部１７側に押さえ込む機能を有する。
【００１５】
図１に示すように、ベース板部１７の長手方向の離隔した２箇所である両端側に突出されている突片２５は、ベース板部１７の上方向に向けるようにして折り込まれて形成されている。図３に示すように、この一対の突片２５は、光スプリッタ８を光部品収納空間２０に収納する際に目安となるとともに、光部品収納空間２０に収納された光スプリッタ８の長手方向の移動を規制する収納範囲設定用突片として機能する。光部品収納空間２０への光スプリッタ８の収納位置が、一対の突片２５の間（収納範囲）であれば、蓋部１４による押さえ込みや、押え片１３による押圧固定を確実に実現できる。
【００１６】
図１に示すように、一対の側壁部１８，１９の長手方向の端部のどちらか一方（本実施の形態では、図１手前側の長手方向端部）には、光部品収納空間２０に収納された光スプリッタ８が抜け落ちないようにするためのストッパ２６が設けられている。このストッパ２６は、一対の側壁部１８，１９の長手方向端部から外側に向かうに従い、一対の側壁部１８，１９間に向かうように折り込まれて形成された舌片２７により構成されている。これら一対の舌片２７，２７の間には、光スプリッタ８の光ファイバＴが配線される隙間が開けられている。
図８に示すように、ストッパ２６は、光部品収納空間２０に収納されている光スプリッタ８に接続されている光ファイバＴが下方に向けて引っ張られる等して光スプリッタ８が突片２５を越えてしまっても、光スプリッタ８を舌片２７に引っ掛かって光部品収納空間２０及び光部品嵌め込み溝９から抜け出ることを防止するものである。なお、本発明のストッパ２６は、一対の側壁部１８，１９のどちらか一方の長手方向の端部に設けた構造のものに限定するものでなく、両端部に設けたものであってもよい。また、ストッパ２６は、光スプリッタ８を引っ掛ける機能を有するものであれば一対の側壁部１８，１９の端部のみに設けるものに限定するものでなく、一対の側壁部１８，１９のどこに設けても良い。さらに、ベース板部１７に設けたものであっても良い。
【００１７】
上記の構造の光部品固定具１１に光スプリッタ８を固定するには、はじめに光部品固定具１１を光部品ホルダ５に固定する。すなわち、図２に示すように、光部品固定具１１を光部品ホルダ５の底面とベース板部１７の背面が当接するように光部品ホルダ５に嵌め込む。このとき、一対の側壁部１８，１９は、光部品ホルダ５の一対の把持片７ａ，７ｂに沿ってベース板部１７に対して略垂直となるように折り込まれる。また、このとき、ストッパ２６が下方（図３下側）に向くようにして嵌め込む。
【００１８】
そうしておいて、光部品固定具１１の光部品収納空間２０内に光スプリッタ８を収納する。すなわち、図４に示すように、予め蓋部１４を開放しておいて光部品収納空間２０内に光スプリッタ８が差し込み可能な状態としておき、ベース板部１７の突片２５を目安にして光スプリッタ８を矢印Ａ方向に向けて差し込み、図５に示すように、側壁部１９と光部品ホルダ５の把持片７ｂとの間に止め部２４を係止させて、蓋部１４を閉じる。なお、図４及び図５は、光部品固定具１１と光スプリッタ８との差し込み状態を説明するために光部品ホルダの図示を省略している。
【００１９】
図６及び図７に示すように、光部品固定具１１の光部品収納空間２０内に差し込まれた光スプリッタ８は、押さえ片１３により側壁部１９に当接するようにして付勢される。これにより、光スプリッタ８をぐらつくことなく安定して固定することができる。ここで、押さえ片１３の付勢力により、光スプリッタ８には、側壁部１９側への付勢力が与えられるとともに、図６の上方へも付勢力が与えられている。これにより、光スプリッタ８は、上方向に飛び出そうとする。しかし、蓋部１４の止め部２４が側壁部１９と光部品ホルダ５との間に挟み込まれて固定されていることにより、蓋部１４の開放が規制されるため、一対の側壁部１８，１９の間に架設されている。押さえ板部２３が、上方向に飛び出そうとする光スプリッタ８にベース板部１７側に向けた押さえ込み力を与えているので、光部品固定具１１は、光部品収納空間２０から光スプリッタ８が飛び出すことを防止することができ、光スプリッタ８を安定して固定することができる。
【００２０】
また、図７に示すように、光部品ホルダ５が、光部品嵌め込み溝９の延在方向が上下方向となる縦置きとなるように配置されている場合には、振動等の影響により光スプリッタ８が下方に向けて移動させられる可能性があるが、ベース板部１７の突片２５が光スプリッタ８に引っ掛かることにより、光スプリッタ８の長手方向への移動を規制することができる。これによっても、光部品固定具１１は、光スプリッタ８の長手方向の移動を規制するので、光スプリッタ８を安定して固定することができる。
【００２１】
さらに、光スプリッタ８に接続されている光ファイバＴが下方（図７下方）に引っ張られてしまう等して、図８に示すように、突片２５を越えてしまう可能性もある。ここで、下方に引っ張られてしまった光スプリッタ８は、光部品固定具１１の下方に向けて移動させられるが、ストッパ２６の舌片２７に光スプリッタ８が引っ掛かり、ストッパ２６よりも下方に移動することを規制される。これにより、光部品固定具１１から光スプリッタ８が離脱してしまうことを防止でき、落下する危険を無くしている。
【００２２】
上記の構成によれば、光部品ホルダ５にサイズの小さい光スプリッタ８を安定して固定することができるので、光スプリッタ８の種類に合わせた光部品ホルダ５を用意する必要が無く、コストを低減することができる。また、光スプリッタのサイズ変更の際の作業は、光部品固定具１１を光部品ホルダ５に嵌め込むだけでよいので、作業を容易に行うことができる。また、この光部品固定具１１は、シート状部材により形成されていることにより、非常に軽量となっているので、携帯性に優れている。
なお、本発明は、光接続箱に用いたものに限定されるものではなく、スプリッタトレイあるいは、光部品ホルダを、建物の柱、床、架体等である取付対象物に直接取り付けている構成のものにも採用可能である
【図面の簡単な説明】
【００２３】
【図１】光部品固定具を示す斜視図である。
【図２】光部品固定具を光部品ホルダに嵌め込ませた際の断面図である。
【図３】図２に示す光部品固定部の平面図である。
【図４】図１に示す光部品固定具への光スプリッタの取り付け状態を示す斜視図である。
【図５】光部品収納空間に光スプリッタを収納した状態を示す斜視図である。
【図６】図５に示す光部品固定具の断面図である。
【図７】図５に示す光部品固定具の平面図である。
【図８】ストッパの説明図である。
【図９】光接続箱を示す斜視図である。
【図１０】光スプリッタトレイを示す斜視図である。
【図１１】光接続箱を壁に縦置きに配置した状態を示す概略側面図である。
【符号の説明】
【００２４】
１…光接続箱、１Ａ…筐体、２…カバー、３…ベースプレート、４…スプリッタトレイ、４ａ…底板、４ｂ…立上壁、４Ａ…トレイ本体、５…光部品ホルダ、６…底板、７…把持片、８…光スプリッタ、９…光部品嵌め込み溝、１０…壁、１１…光部品固定具、１２…固定具本体、１３…押え片、１４…蓋部、１５…折曲部、１６…折曲部、１７…ベース板部、１８…側壁部、１８ａ…突出先端部、１９…側壁部、１９ａ…突出先端部、２０…光部品収納空間、２１…折曲部、２２…折曲部、２３…押さえ板部、２４…止め部、２５…突片、２６…ストッパ、２７…舌片。
【図１】
2005308804.tif 000003
【図２】
2005308804.tif 000004
【図３】
2005308804.tif 000005
【図４】
2005308804.tif 000006
【図５】
2005308804.tif 000007
【図６】
2005308804.tif 000008
【図７】
2005308804.tif 000009
【図８】
2005308804.tif 000010
【図９】
2005308804.tif 000011
【図１０】
2005308804.tif 000012
【図１１】
2005308804.tif 000013